(57)【要約】【課題】スピーカーの音質を改善する。【解決手段】ドライバーユニット１１は、音波を発生する振動板１１１と、振動板１１１で発生した音波を導く通路１１３と、通路１１３の内面を覆う反射防止材１１４とを備える。スピーカーは、ドライバーユニット１１と、ドライバーユニット１１で発生した音波を導くスロートと、スロートによって導かれた音波を外部に放射するホーンとを備える。スロートは、ドライバーユニット１１から放射される音波を導く通路と、通路の内面を覆う反射防止材とを備えてもよい。【選択図】図３
2018170558.tif 000002
【特許請求の範囲】
【請求項１】
音波を発生する振動板と、
前記振動板で発生した音波を導く通路と、
前記通路の内面を覆う反射防止材と、
を備える、ドライバーユニット。
【請求項２】
請求項１のドライバーユニットと、
前記ドライバーユニットで発生した音波を導くスロートと、
前記スロートによって導かれた音波を外部に放射するホーンと、
を備える、スピーカー。
【請求項３】
ドライバーユニットから放射される音波を導く通路と、
前記通路の内面を覆う反射防止材と、
を備える、スロート。
【請求項４】
前記スロートは、請求項３のスロートである、
請求項２のスピーカー。
【発明の詳細な説明】
【技術分野】
【０００１】
本発明は、スピーカーに関する。
【背景技術】
【０００２】
スピーカーは、電気信号を音に変換する。スピーカーの主流には、例えばコーン型やホーン型などがある。コーン型スピーカーは、コーン型の振動板から音波が直接拡散放射される。これに対し、ホーン型スピーカーは、ドラーバーユニットが比較的小さい振動板から放射された振幅の小さい音波を位相変換器で集約し、ホーンが拡大して放射する。
ホーン型スピーカーには、例えば、ドライバーユニットとホーンとを直結したコンビネーション型や、ドライバーユニットとホーンとを結ぶスロートを有するセパレート型がある。コンビネーション型は、高音用ホーン型スピーカーに多く、セパレート型は、中高音用ホーン型スピーカーに多い。
ホーン型スピーカーは、ドライバーユニットで発生した音波をホーンで拡大するので、ドライバーユニットで発生させる音波の振幅は小さくてよい。これにより、ドライバーユニットの振動板などで発生する歪みを大幅に軽減することができ、トランジェット特性が高く、音の発生が軽やかで、スピード感のある表現となる。コーン型は所定の音圧を得るために振動板を強引に駆動することによる重苦しさがあるのに対し、ホーン型は、そのような重苦しさがなく、自然界における本来の音に近い音を出すことができる。
このような利点があるので、ホーン型スピーカーは、多くのオーディオシステムで採用されている。また、大ホールやイベント会場などにおける拡声装置としても多く使用されている。
【先行技術文献】
【特許文献】
【０００３】
【特許文献１】特開２００６−３４０１４０号公報
【発明の概要】
【発明が解決しようとする課題】
【０００４】
しかし、ホーン型スピーカーは、ドライバーユニットで発生した音をホーンで拡大するので、ドライバーユニット内における僅かな歪みが拡大され、音が汚れる場合がある。特に、高音域や超高音域において刺激音を発生する場合がある。
本発明は、例えばこのような課題を解決し、音質を改善することを目的とする。
【課題を解決するための手段】
【０００５】
ドライバーユニットは、音波を発生する振動板と、前記振動板で発生した音波を導く通路と、前記通路の内面を覆う反射防止材とを備えてもよい。
スピーカーは、前記ドライバーユニットと、前記ドライバーユニットで発生した音波を導くスロートと、前記スロートによって導かれた音波を外部に放射するホーンとを備えてもよい。
スロートは、ドライバーユニットから放射される音波を導く通路と、前記通路の内面を覆う反射防止材とを備えてもよい。
【発明の効果】
【０００６】
本発明によれば、反射防止材が、ドライバーユニットのなかの通路における音波の反射を抑えるので、ドライバーユニットのなかで歪みが発生するのを防ぎ、音質を改善することができる。
また、反射防止材が、スロートのなかの通路における音波の反射を抑えるので、スロートのなかで歪みが発生するのを防ぎ、音質を改善することができる。
【図面の簡単な説明】
【０００７】
【図１】ホーン型スピーカーを示す正面図。
【図２】ホーン型スピーカーを示すＩＩ−ＩＩ断面図。
【図３】ドライバーユニットを示す拡大断面図。
【図４】スローとを示す拡大断面図。
【発明を実施するための形態】
【０００８】
図１〜図３に示すホーン型スピーカー１０は、以下の構成を備える。
＜ドライバーユニット１１＞：電気信号を音波に変換する。例えば、振動板（不図示）と、位相変換器（不図示）とを内蔵し、ドライバーが電気信号を入力して振動板を駆動することにより、Ｆ方向に音波を放射する。
＜スロート１２＞：ドライバーユニット１１とホーン１３との間を接続する。内部に、通路２１を備える。通路２１は、２つの開口２２及び２７を有し、スロート１２のなかをＦ−Ｂ方向に貫通している。開口２２は、例えば円形で、スロート１２のＢ側にあり、ドライバーユニット１１に接続している。開口２７は、例えば正方形で、スロート１２のＦ側にあり、ホーン１３に接続している。ドライバーユニット１１で発生した音波は、開口２２から通路２１に入り、通路２１によって導かれて、開口２７から出て、ホーン１３に伝達される。
＜ホーン１３＞：ドライバーユニット１１で発生した音波を拡大し、外部に放射する。内部に、通路３１を備える。通路３１は、２つの開口３２及び３７を有し、ホーン１３のなかをＦ−Ｂ方向に貫通している。開口３２は、例えばスロート１２の開口２７よりも一回り大きい正方形で、ホーン１３のＢ側にあり、スロート１２に接続している。開口３７は、ホーン１３のＦ側にあり、外部に解放されている。開口３７の面積は、開口３２の面積よりも大きい。ドライバーユニット１１で発生した音波は、開口３２から通路３１の中に入り、通路３１によって導かれて、開口３７から外部に放射される。
【０００９】
図２に示すように、通路３１の内部には、複数の段部３３ａ〜３３ｆが設けられている。各段部３３ａ〜３３ｆは、通路３１の内面に沿って全周に亘り、音源からの距離が一定の位置に設けられている。開口３２と一番Ｂ側の段部３３ａとの間、隣接する段部の間、及び、一番Ｆ側の段部３３ｆと開口３７との間には、いずれも同じ一定の間隔が設けられている。この間隔は、音速（３４０ｍ／ｓ［メートル毎秒］）を基準として定められる。実験によれば、１７ｍｍ［ミリメートル］以上６８ｍｍ以下とした場合に音質の改善効果が高く、そのなかでも、３４ｍｍの場合に効果が最も高かった。
開口３２と一番Ｂ側の段部３３ａとの間は接続部３４によって接続されている。隣接する段部の間は、接続部３５ａ〜３５ｅによって接続されている。一番Ｆ側の段部３３ｆと開口３７との間は接続部３６によって接続されている。
【００１０】
ホーン１３の通路３１と同様に、スロート１２の通路２１の内部にも、段部２３が設けられている。段部２３は、一つだけではなく、複数であってもよい。開口２２と段部２３との間、及び、段部２３と開口２７との間（段部２３が複数ある場合は、隣接する段部２３の間も含む。）には、ホーン１３の段部と同じ一定の間隔が設けられている。
また、ホーン１３の開口３２がスロート１２の開口２７よりも一回り大きいので、スロート１２とホーン１３との接続部分にも、通路２１及び３１の内部と同様の段部が形成されている。
【００１１】
図３に示すように、ドライバーユニット１１は、振動板１１１と、位相等価器１１２と、通路１１３と、反射防止材１１４とを備える。
振動板１１１は、ドライバーユニット１１が入力した電気信号により振動して、音波を発生する。
位相等価器１１２は、振動板１１１で発生した音波の位相を揃える。
通路１１３は、位相等価器１１２で位相が揃えられた音波を出口へ導く。通路１１３の出口は、スロート１２の開口２２に接続されている。
反射防止材１１４は、例えばゴム板であり、通路１１３の内面を覆っている。これにより、通路１１３のなかで音波が反射するのを防ぐ。通路１１３のなかで音波が反射しないので、振動板１１１で発生した音波が歪むことなく、出口から放射される。
反射防止材１１４として硬質ゴムを通路１１３のなかに貼り付けて実験したところ、硬質ゴムの厚さは、０．５ｍｍ以上であればよく、１．０ｍｍ程度が好ましい。
なお、通路１１３に、スロート１２やホーン１３と同様の段部を設けてもよい。
【００１２】
ドライバーユニット１１の通路１１３は、金属製である場合が多く、高い周波数の音波を反射しやすい。反射防止材がこの反射を緩和するので、高音域や超高音域における刺激音の発生を抑えることができる。
【００１３】
図４に示すように、スロート１２は、更に、反射防止材２８を備えてもよい。
反射防止材２８は、例えばゴム板であり、通路２１の内面を覆っている。これにより、通路２１のなかで音波が反射するのを防ぐ。通路２１のなかで音波が反射しないので、ドライバーユニット１１から放射された音波が歪むことなく、スロート１２の出口から放射される。
【００１４】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００１５】
１０  ホーン型スピーカー、１１  ドライバーユニット、１１１  振動板、１１２  位相等価器、１１３  通路、１１４，２８  反射防止材、１２  スロート、２１，３１  通路、２２，２７，３２，３７  開口、２３，３３ａ〜３３ｆ  段部、２４，２６，３４，３５ａ〜３５ｅ，３６  接続部、１３  ホーン。
【図１】
2018170558.tif 000003
【図２】
2018170558.tif 000004
【図３】
2018170558.tif 000005
【図４】
2018170558.tif 000006